(57)【要約】【課題】花崗岩等の重量のある石材を外装材として取り付けるにあたり、石材と構造躯体間との間隙を大きく形成することができ、その間隙に厚みのある性能の良い断熱層を介在させることが可能な断熱性能の高い石張り外断熱工法を提供する。【解決手段】石張り外装材を取付けるファスナーは、一次側アングルファスナーと二次側プレートファスナー間に断熱樹脂を挟持して熱橋対策を施した取付け金物を用いたり、一次側アングルファスナーと外壁構造躯体面間に断熱樹脂を挟持して熱橋対策を施した取付け金物を用いることにより重量のある石材を外装材として使用可能な石張り外断熱工法を実用化した。【選択図】図２
2020037840.tif 000002
【特許請求の範囲】
【請求項１】
外壁構造躯体の外部側に断熱材を貼着しその断熱材を挟持した状態で厚みがあり重量のある石材を外装材として取り付ける建築物の外断熱構造において、
外壁構造躯体の外部側には前記石材を外装材として取り付けるために計算されたピッチ巾やピッチ高さを有して穿たれる複数のアンカーボルトの穿孔作業の工程と、
該穿孔作業の工程後に外壁取付け用ファスナーの一次側アングルファスナーを取り付けるためのアンカーボルトを打設する工程と、
該打設した夫々のアンカーボルトの頭部周辺に躯体不陸調整用樹脂モルタルを塗布して外壁構造躯体の表面を均一化する工程と、
該躯体不陸調整用樹脂モルタルから突出した夫々のアンカーボルトにナットを用いて一次側アングルファスナーを外壁構造躯体に固着する工程と、
該一次側アングルファスナーと二次側プレートファスナーを脱落防止用プレート上で連結し植設され夫々に断熱ゴムを被覆した二本のボルトにて装着し前記一次側アングルファスナーと二次側ファスナーの接合部に穿たれたルーズホールで前後左右の調整を行いナットにて締め付けて二次側プレートファスナーの先端部に設けられた夫々のダボピンの出幅を設定する工程と、
該夫々のダボピンの出幅設定のあとに前記外壁構造躯体の外部側に設定された厚みを保有しシート状で前記ピッチ巾、及びピッチ高さにカットされた断熱材を用意しその断熱材は夫々の断熱材の四隅コーナーをカットした集合体の切欠部を形成して前記夫々の一次アングルファスナー及び二次プレートファスナーの外部側の突出部分に対して前記切欠部が開口されているように貼着施工する工程と
該断熱材の貼着後において一次アングルファスナー及び二次プレートファスナーの外部側の突出部分に開口されている切欠部へ目視しながら低発砲ウレタン樹脂を充填して断熱材と低発砲ウレタン樹脂の断熱層が前記外壁構造躯体を被覆する工程と
該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付ける工程と、
該石材の外装材としての取付け後において各石張り外装材間に設けた石貼り目地にシーリング工事を施すことを特徴とする石張り外断熱工法。
【請求項２】
外壁構造躯体の外部側に断熱材を貼着しその断熱材を挟持した状態で厚みがあり重量のある石材を外装材として取り付ける建築物の外断熱構造において、
外壁構造躯体の外部側には前記石材を外装材として取り付けるために計算されたピッチ巾やピッチ高さを有して穿たれる複数のアンカーボルトの穿孔作業の工程と、
該穿孔作業の工程後に外壁取付け用ファスナーの一次側アングルファスナーを取り付けるためのアンカーボルトを打設する工程と、
該打設した夫々のアンカーボルトの頭部に断熱樹脂を介して一次側アングルファスナーを外壁構造体に固着する工程と、
該一次側アングルファスナーと二次側プレートファスナーを角根ボルトで連結し前記一次側アングルファスナーと二次側ファスナーの接合部に穿たれたルーズホールで前後左右の調整を行い角根ボルト・ナットにて締め付けて二次側プレートファスナーの先端部に設けられた夫々のダボピンの出幅を設定する工程と、
該夫々のダボピンの出幅設定の後に前記外壁構造躯体の外部側に設定された厚みを保有しシート状で前記ピッチ巾、及びピッチ高さにカットされた断熱材を準備し、その断熱材は夫々の断熱材の四隅コーナーをカットした集合体の切欠部を形成して前記夫々の一次アングルファスナー及び二次プレートファスナーからなる外部側の突出部分に対して前記切欠部が開口されているように貼着施工する工程と
該断熱材の貼着後において一次アングルファスナー及び二次プレートファスナーからなる外部側の突出部分に開口されている切欠部へ目視しながら低発砲ウレタン樹脂を充填して断熱材と低発砲ウレタン樹脂の断熱層が前記外壁構造躯体を被覆する工程と
該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付ける工程と、
該石材の外装材としての取付け後において各石張り外装材間に設けた石貼り目地にシーリング工事を施すことを特徴とする石張り外断熱工法。
【請求項３】
前記外壁構造躯体の外部側に断熱材を貼着しその断熱材を挟持した状態で厚みがあり重量のある石材を外装材として取り付ける建築物の外断熱構造において、
前記外壁構造躯体の外部側には石材を外装材として取り付けるために計算されたピッチ巾やピッチ高さを有して穿たれる複数のアンカーボルト用の孔を設け、
該アンカーボルト用の孔に一次側アングルファスナー取付け用のアンカーボルトを打設し、
該打設した夫々のアンカーボルトの頭部周辺に躯体不陸調整用樹脂モルタルを塗布して外壁構造躯体の表面を均一化し、
該躯体不陸調整用樹脂モルタルから突出した夫々のアンカーボルトの頭部にナットを用いて一次側アングルファスナーを固着し、
該一次側アングルファスナーの他辺には二次側プレートファスナーを脱落防止用プレート上で連結し植設された構造で夫々に断熱樹脂を被覆した二本のボルトにて装着し、
該一次側アングルファスナーと二次側プレートファスナーの接合部には前記断熱ゴムが挟持されており、穿たれたルーズホールで前後左右の調整を行いナットにて締め付けて二次側プレートファスナーの先端部に設けられた夫々のダボピンの出幅を設定し、
該夫々のダボピンの出幅設定のあとに前記外壁構造躯体の外部側に設定された厚みを保有しシート状で前記ピッチ巾、及びピッチ高さにカットされた断熱材を貼着し、
該断熱材の貼着は夫々の断熱材の四隅コーナーをカットした集合体の切欠部を形成して前記夫々の一次アングルファスナー及び二次プレートファスナーからなる外部側の突出部分に対して前記切欠部が開口されているように貼着し、
該断熱材の貼着後において一次アングルファスナー及び二次プレートファスナーからなる外部側の突出部分に開口されている切欠部には目視しながら低発砲ウレタン樹脂を充填して断熱材と低発砲ウレタン樹脂の断熱層が前記外壁構造躯体を被覆する構成とし、
該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付け、
該石材の外装材としての取付け後において各石張り外装材間に設けた石貼り目地にシーリングを行うことを特徴とする請求項１に記載された石張り外断熱工法の構造。
【請求項４】
前記外壁構造躯体の外部側に断熱材を貼着しその断熱材を挟持した状態で厚みがあり重量のある石材を外装材として取り付ける建築物の外断熱構造において、
外壁構造躯体の外部側には前記石材を外装材として取り付けるために計算されたピッチ巾やピッチ高さを有して穿たれる複数のアンカーボルト用の孔を設け、
該アンカーボルト用の孔に一次側アングルファスナー取付け用のアンカーボルトを打設し、
該打設した夫々のアンカーボルトの頭部に断熱樹脂を介して一次側アングルファスナーを外壁構造体に固着し、
該一次側アングルファスナーと二次側プレートファスナーを角根ボルトで連結し前記一次側アングルファスナーと二次側ファスナーの接合部に穿たれたルーズホールで前後左右の調整を行い角根ボルト・ナットにて締め付けて二次側プレートファスナーの先端部に設けられた夫々のダボピンの出幅を設定し、
該夫々のダボピンの出幅設定の後に前記外壁構造躯体の外部側に設定された厚みを保有しシート状で前記ピッチ巾、及びピッチ高さにカットされた断熱材を貼着し、
該断熱材の貼着は夫々の断熱材の四隅コーナーをカットした集合体の切欠部を形成して前記夫々の一次アングルファスナー及び二次プレートファスナーからなる外部側の突出部分に対して前記切欠部が開口されているように貼着し、
該断熱材の貼着後において一次アングルファスナー及び二次プレートファスナーからなる外部側の突出部分に開口されている切欠部へ目視しながら低発砲ウレタン樹脂を充填して断熱材と低発砲ウレタン樹脂の断熱層が前記外壁構造躯体を被覆する構成とし、
該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付け、
該石材の外装材としての取付け後において各石張り外装材間に設けた石貼り目地にシーリング工事を施すことを特徴とする請求項２に記載された石張り外断熱工法の構造。
【請求項５】
前記外壁構造躯体の外部側に断熱材を貼着しその断熱材を挟持した状態で厚みがあり重量のある石張り外装材として取り付ける建築物の外断熱構造において、
外壁取付け用の一次側アングルファスナーはアンカーの打設により外壁構造躯体に固着され、
該外壁構造躯体に固着された一次側アングルファスナーの他端は石材を外装材として取り付ける方向に突出しており、
該一次側アングルファスナーの突出部において二次側プレートファスナーに接合しており、
該一次側アングルファスナーと二次側プレートファスナーの接合部は脱落防止用プレート上で直列に植設され断熱ゴムを被覆した二本のボルトにて接合されており、
該二次側プレートファスナーの上面で夫々のナットにて前記断熱樹脂を挟持した状態で締着されおり、
該一次側アングルファスナーと二次側プレートファスナーの間には熱橋対策がなされていると共に、
該石張り外装材の荷重の曲げ応力を支持するために一次側アングルファスナーと二次側プレートファスナーとの接合部を大きく取り、
該接合部において脱落防止プレートを介して２本のボルト、または複数のボルトを使用して一次側アングルファスナーと二次側プレートファスナーとの接合部を補強したことを特徴とする請求項１及び請求項３に記載された石張り外断熱工法の構造とその取付け金物。
【請求項６】
前記外壁構造躯体の外部側に断熱材を貼着しその断熱材を挟持した状態で厚みがあり重量のある石張り外装材として取り付ける建築物の外断熱構造において、
一次側アングルファスナー取付け用のアンカーボルトの頭部は外壁構造躯体表面より突出しており、
該アンカーボルトの突出部に断熱樹脂からなり取付け孔を有する断熱プレートを挿着してその断熱プレートを外壁構造躯体と一次側アングルファスナー間で挟持し、
該一次側アングルファスナーと前記アンカーボルト間に断熱樹脂からなり中心の取付け孔を有するＴ字形状リングを挿着して脱落防止プレートを介してナットで一次側アングルファスナーを外壁構造躯体に固着し、
該一次側アングルファスナーと外壁構造躯体間には前記断熱プレートとＴ字形状リングにて熱橋対策がなされており、
該一次側アングルファスナーは他端で二次側プレートファスナーに接合しており、
該二次側プレートファスナーの先端にダボピンを設けて石材等の外装材を取り付けることを特徴とする請求項２及び請求項４に記載された石張り外断熱工法の構造とその取付け金物。
【発明の詳細な説明】
【技術分野】
【０００１】
本発明はアルミやステンレス等の薄板をパネル形状に加工して外装材として使用する外断熱工法ではなく、花崗岩等の石材を外装材として用いた石張り外断熱工法に関するものであり、また、本発明は石張り外断熱工法の構造とその取付け金物を提供するものである。
【０００２】
本発明は、厚みがあり重量のある石材を外装材として使用する石張り外断熱工法及び石張り外断熱工法の構造とその取付け金物を提供するものであり、特に本発明は、重量のある石材を外装材として取り付けるにあたり、外装材となる石材と構造躯体間との間隙を大きく形成することができ、その間隙に厚みのある性能の良い断熱層を介在させることが可能で断熱性能の高い石張り外断熱工法の建物を提供でき、しかも施工が簡単、且つ容易で外装材となる石材をしっかりと構造躯体に取付けすることができる石張り外断熱工法及び石張り外断熱工法の構造とその取付け金物を提供するものである。
【０００３】
また、従来工法においては、外装材と構造躯体間の間隙に介在し断熱層を形成する断熱材の敷設工程において、断熱材は外装材の取付け金物に貫通して敷設しており、断熱材は外装材の取付け金物部分で均等に敷設されずに捲れてしまって隙間を作ったり、取付け金物部分において裂け目や貫通穴を作ってしまい、その結果として当該部分において断熱効果を損ない建物に必要な断熱性能を保持できない。また、断熱材の破損は湿潤をまねき劣化を速めてしまうので、建物の１００年以上の耐久性を維持できなくなると云う大きな問題を有していたが、本発明は、断熱材の敷設方法や取付け金物の形状においても工夫を重ね、前記問題点を解消した石張り外断熱工法及び石張り外断熱工法の構造とその取付け金物を提供するものである。
【０００４】
更に本発明は、特に、改修工事においても遺憾なくその利点を発揮できるもので、例えば、外壁タイルの改修工事において本発明を採用することにより、従来からある外壁構造躯体をより長持ちさせることができ、また、外装材に石材を用いることができるために建物を意匠的にグレードアップすることが可能であり、その施工に際しては外部側のみの工事となるために建物内は工事中でも人々が生活可能であり、施工後は、建物として保持できる断熱性能が均一となり室内側の内壁が結露をすることを防止できると云う、建物内の環境をグレードアップした改修工事が可能な石張り外断熱工法及び石張り外断熱工法の構造とその取付け金物を提供するものである。
【背景技術】
【０００５】
本発明は、主にコンクリート構造物など熱容量の大きい建物の外壁構造躯体の外側に断熱層を設け、建物を外気から遮断して、建物の蓄熱、または冷却した状態を逃がさないようにした外断熱工法及び外断熱工法の構造とその取付け金物を提供するものである。外断熱工法は近時、アルミやステンレス等の薄板をパネル形状に加工して外装材として使用し、金属パネルと構造躯体間に間隙を設けて、その間隙に断熱材を敷設した構造のものが多く施工されている。
【０００６】
例えば、外装材がアルミやステンレス等のパネル材からなる外断熱工法において、外装材の支持金物および建物の外壁構造についての発明は、特開２０００−７３５１５号公報（以下、特許文献１と称する）がある。特許文献１の発明はコンクリート造またはＡＬＣ造の建物のパネル外装材を支持するために構造躯体壁面に設置される支持金物（取付け金物）であって、基端が躯体壁に略垂直に取り付けられる支持ボルトと当該支持ボルトを補強するための補強部材とからなり、前記補強部材は、前記支持ボルトを相対的に挿通させる装着部と、当該装着部から張出された複数の支持板とから構成され、前記支持板は、その底辺先端の壁面接触部分から支持ボルト先端側に向けられた略直線的な筋交構造を備え、また、前記支持金物の支持ボルトの基端が躯体壁面に埋没され、補強部材の装着部から突出した前記支持ボルトの先端部側に角パイプ等から成る縦胴縁が取り付けられパネル外装材は縦胴縁に沿ってネジ止めされている。
【０００７】
而して、前記支持金物にあっては、基端が壁面に略垂直に取り付けられる支持ボルトと、該支持ボルトを補強するための補強部材とからなり、補強部材は前記支持ボルトを相対的に挿通させる装着部と、当該装着部から張出された複数の支持板から構成されており、コンクリート躯体とパネル外装材間の間隙を大きく設定し、その間隙を設定する支持ボルトと複数の支持板に断熱材を突き刺して装着した外断熱構造が開示されている。
【０００８】
然しながら、特許文献１の発明において、パネル外装材は、縦胴縁に沿ってネジ止めされることにより、躯体壁面とパネル外装材との離間距離を大きくとれるので、外断熱工法において、断熱材の厚さを例えば７５〜３００ｍｍといった十分な厚さに設定できるとしているが、躯体壁面とパネル外装材との離間距離を大きく取ると実際には、外装パネル材の重量と風圧に耐え得るように取付け金物を構成するには縦胴縁の設定ピッチを極端に狭める必要が生じ、前記煩雑な支持ボルトの先端部に角パイプ等からなる縦胴縁を取り付ける作業が増大する。
【０００９】
従って、特許文献１の発明は、例えばアルミで厚さ２ｍｍ、１平米あたり5.４キログラム、ステンレスで厚さ1.5ｍｍ、１平米あたり１２キログラム等の薄板パネル外装材を用いた外断熱工法のみに採用されるもので、本発明の如く花崗岩で厚さ３０ｍｍ、１平米あたり８０キログラム程と重い石張り外断熱工法及び石張り外断熱工法用の取付け金物に用いられるには不適当であることが理解できる。
【００１０】
また、外装材と壁面構造躯体間に断熱材を敷設する際の問題点に関して、考察し、改良を加えた発明が、特開２００９−６８１８８号公報（以下、特許文献２と称する）により開示されている。特許文献２の発明は、特許文献１の発明や従来発明の外断熱構造において、外装材と躯体壁面間の間隙部に断熱材を敷設する際の問題点に言及し、従来技術では躯体壁の支持ボルトに補助金具を装着した状態で、断熱材を躯体壁に押し付け、該断熱材に補強金具を没入させるものであるため、断熱材の開口端の近傍部分が捲り上がり躯体間との間に隙間を生じたり、断熱材が補助金具により切り込まれたりして断熱効果を減じる等の種々問題を有することが記載されている。
【００１１】
そして、この問題解決のために、特許文献２の発明においては、支持ボルトに補助金具を装着する前に断熱材を躯体壁に敷設し、その後敷設された断熱材に室外側から補助具を進入させて支持ボトルに装着することを特徴としているが、断熱材を躯体壁に敷設するには支持ボルトが断熱材を貫通している構造や補助金具の脚部がナイフエッジに形成され、該補助金具のナイフエッジ部分で断熱材に進入する機構等、断熱材の敷設に関する問題点は何も解決されておらず、従来の工法や外装材の取付け金具の開発は、厚みがあり重量のある石張り外断熱工法の普及や性能向上にまでは繋がってこない。
【００１２】
斯くして、従来、普及してきた外装材にアルミやステンレスを用いた外断熱工法と石張り外断熱工法を比較すると上述のような共通する問題点もあるが、本発明は、高度な断熱性能を備えて、外断熱工法の目的でもある１００年以上の耐久性を維持でき、メンテナンスも不要で手間のかからない花崗岩の石張り外断熱工法及び石張り外断熱工法の構造とその取付け金物を提供するものである。
【先行技術文献】
【特許文献】
【００１３】
【特許文献１】特開２０００−７３５１５号公報
【００１４】
【特許文献２】特開２００９−６８１８８号公報
【発明の概要】
【発明が解決しようとする課題】
【００１５】
本発明は、厚みがあり重量のある花崗岩等の石材を外装材として使用する石張り外断熱工法及び石張り外断熱工法の構造とその取付け金物を提供するものであり、特に本発明は、花崗岩等の重量のある石材を外装材として取り付けるにあたり、外装材となる石材と構造躯体間との間隙を大きく形成することができ、その間隙に厚みのある性能の良い断熱層を介在させることが可能で、断熱性能の高い石張り外断熱工法の建物を提供でき、しかも施工が簡単、且つ容易で外装材となる石材をしっかりと構造躯体に取付けすることができる石張り外断熱工法及び石張り外断熱工法の構造とその取付け金物を提供するものである。
【００１６】
また、従来の外断熱工法においては、外装材と構造躯体間の間隙に介在し断熱層を形成する断熱材の敷設工程において、断熱材は外装材の取付け金物に貫通して敷設しており、断熱材は外装材の取付け金物部分で均等に敷設されずに捲れてしまって隙間を作ったり、取付け金物部分において裂け目や貫通穴を作ってしまい、その結果として当該部分において建物に必要とされる断熱性能を保持できない。また、断熱材の破損は湿潤をまねき劣化を速めてしまうので、建物の１００年以上の耐久性を維持できなくなると云う大きな問題を有していたが、本発明は、断熱材の敷設方法や取付け金物の形状においても工夫を重ね、前記問題点を解消した石張り外断熱工法及び石張り外断熱工法の構造とその取付け金物を提供するものである。
【００１７】
更に本発明は、特に、改修工事においても遺憾なくその利点を発揮できるもので、例えば、外壁タイルの改修工事において本発明を採用することにより、従来からある外壁構造躯体をより長持ちさせることができ、また、外装材に石材を用いることができるために建物を意匠的にグレードアップすることが可能であり、その施工に際しては外部側のみの工事となるために建物内は工事中でも人々が生活可能であり、施工後は建物として保持すべき断熱性能は室内側で均一となり建物の室内側が結露をすることを防止できると云う、建物内の環境をもグレードアップした改修工事が可能な石張り外断熱工法及び石張り外断熱工法の構造とその取付け金物を提供するものである。
【００１８】
花崗岩等の石材を外装材として用いた外断熱工法は、従来、普及してきた金属パネルの外装材を用いた外断熱工法と同様に、外装材となる石材と構造躯体間との間隙を大きく形成して、その間隙に厚みのある性能の良い断熱層を介在させることが重要であるが、厚みがあり重量のある花崗岩等の石材と構造躯体間との間隙に断熱材を敷設すると共に、この断熱材を挟んで石材の大きな張り代を有する間隙に石材の荷重の曲げ応力に耐えて石材の外装材を構造躯体に安全、且つ確実に取り付ける施工手順は難しいものがある。また、石張り外断熱工法における石材の外装材を外壁構造躯体に取り付けるための取付け金物の構造は、確実に熱橋（heat bridge）を遮断する必要があり、石貼り断熱工法が金属パネルの外装材を用いた外断熱工法に比較して普及しなかった要因はこの点にもある。
【００１９】
斯くして、本発明は、外壁構造躯体の外部側に断熱材を貼着しその断熱材を挟持した状態で厚みがあり重量のある石材を外装材として取り付ける建築物の外断熱構造において、外壁構造躯体の外部側には前記石材を外装材として取り付けるために計算されたピッチ巾やピッチ高さを有して穿たれる複数のケミカルアンカーボルトの穿孔作業の工程と、該穿孔作業の工程後に外壁取付け用ファスナーの一次側アングルファスナーを取り付けるためのケミカルアンカーボルトを打設する工程と、該打設した夫々のケミカルアンカーボルトの頭部周辺に躯体不陸調整用樹脂モルタルを塗布して外壁構造躯体の表面を均一化する工程と、該躯体不陸調整用樹脂モルタルから突出した夫々のケミカルアンカーボルトにナットを用いて一次側アングルファスナーを外壁構造躯体に固着する工程と、該一次側アングルファスナーと二次側プレートファスナーを脱落防止用プレート上で連結し植設され夫々に断熱ゴムを被覆した二本のボルトにて装着し前記一次側アングルファスナーと二次側ファスナーの接合部に穿たれたルーズホールで前後左右の調整を行いナットにて締め付けて二次側プレートファスナーの先端部に設けられた夫々のダボピンの出幅を設定する工程と、該夫々のダボピンの出幅設定のあとに前記外壁構造躯体の外部側に設定された厚みを保有しシート状で前記ピッチ巾、及びピッチ高さにカットされた断熱材を用意しその断熱材は夫々の断熱材の四隅コーナーをカットした集合体の切欠部を形成して前記夫々の一次アングルファスナー及び二次プレートファスナーの外部側の突出部分に対して前記切欠部が開口されているように貼着施工する工程と該断熱材の貼着後において一次アングルファスナー及び二次プレートファスナーの外部側の突出部分に開口されている切欠部へ目視しながら低発砲ウレタン樹脂を充填して断熱材と低発砲ウレタン樹脂の断熱層が前記外壁構造躯体を被覆する工程と該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付ける工程と、該石材の外装材としての取付け後において各石張り外装材間に設けた石貼り目地にシーリング工事を施すことを特徴とする石張り外断熱工法を提供するものである。
【００２０】
また、本発明は、外壁構造躯体の外部側に断熱材を貼着しその断熱材を挟持した状態で厚みがあり重量のある石材を外装材として取り付ける建築物の外断熱構造において、外壁構造躯体の外部側には前記石材を外装材として取り付けるために計算されたピッチ巾やピッチ高さを有して穿たれる複数のケミカルアンカーボルトの穿孔作業の工程と、該穿孔作業の工程後に外壁取付け用ファスナーの一次側アングルファスナーを取り付けるためのケミカルアンカーボルトを打設する工程と、該打設した夫々のケミカルアンカーボルトの頭部に断熱樹脂を介して一次側アングルファスナーを外壁構造体に固着する工程と、該一次側アングルファスナーと二次側プレートファスナーを角根ボルトで連結し前記一次側アングルファスナーと二次側ファスナーの接合部に穿たれたルーズホールで前後左右の調整を行い角根ボルト・ナットにて締め付けて二次側プレートファスナーの先端部に設けられた夫々のダボピンの出幅を設定する工程と、該夫々のダボピンの出幅設定の後に前記外壁構造躯体の外部側に設定された厚みを保有しシート状で前記ピッチ巾、及びピッチ高さにカットされた断熱材を準備し、その断熱材は夫々の断熱材の四隅コーナーをカットした集合体の切欠部を形成して前記夫々の一次アングルファスナー及び二次プレートファスナーからなる外部側の突出部分に対して前記切欠部が開口されているように貼着施工する工程と該断熱材の貼着後において一次アングルファスナー及び二次プレートファスナーからなる外部側の突出部分に開口されている切欠部へ目視しながら低発砲ウレタン樹脂を充填して断熱材と低発砲ウレタン樹脂の断熱層が前記外壁構造躯体を被覆する工程と該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付ける工程と、該石材の外装材としての取付け後において各石張り外装材間に設けた石貼り目地にシーリング工事を施すことを特徴とする石張り外断熱工法を提供するものでもある。
【００２１】
そして、本発明の構造は、前記外壁構造躯体の外部側に断熱材を貼着しその断熱材を挟持した状態で厚みがあり重量のある石材を外装材として取り付ける建築物の外断熱構造において、前記外壁構造躯体の外部側には石材を外装材として取り付けるために計算されたピッチ巾やピッチ高さを有して穿たれる複数のケミカルアンカーボルト用の孔を設け、該ケミカルアンカーボルト用の孔に一次側アングルファスナー取付け用のケミカルアンカーボルトを打設し、該打設した夫々のケミカルアンカーボルトの頭部周辺に躯体不陸調整用樹脂モルタルを塗布して外壁構造躯体の表面を均一化し、該躯体不陸調整用樹脂モルタルから突出した夫々のケミカルアンカーボルトの頭部にナットを用いて一次側アングルファスナーを固着し、該一次側アングルファスナーの他辺には二次側プレートファスナーを脱落防止用プレート上で連結し植設された構造で夫々に断熱樹脂を被覆した二本のボルトにて装着し、該一次側アングルファスナーと二次側プレートファスナーの接合部には前記断熱ゴムが挟持されており、穿たれたルーズホールで前後左右の調整を行いナットにて締め付けて二次側プレートファスナーの先端部に設けられた夫々のダボピンの出幅を設定し、該夫々のダボピンの出幅設定のあとに前記外壁構造躯体の外部側に設定された厚みを保有しシート状で前記ピッチ巾、及びピッチ高さにカットされた断熱材を貼着し、該断熱材の貼着は夫々の断熱材の四隅コーナーをカットした集合体の切欠部を形成して前記夫々の一次アングルファスナー及び二次プレートファスナーからなる外部側の突出部分に対して前記切欠部が開口されているように貼着し、該断熱材の貼着後において一次アングルファスナー及び二次プレートファスナーからなる外部側の突出部分に開口されている切欠部には目視しながら低発砲ウレタン樹脂を充填して断熱材と低発砲ウレタン樹脂の断熱層が前記外壁構造躯体を被覆する構成とし、該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付け、該石材の外装材としての取付け後において各石張り外装材間に設けた石貼り目地にシーリングを行う石張り外断熱工法の構造を有している。
【００２２】
また、本発明において、他の構造例は、前記外壁構造躯体の外部側に断熱材を貼着しその断熱材を挟持した状態で厚みがあり重量のある石材を外装材として取り付ける建築物の外断熱構造において、外壁構造躯体の外部側には前記石材を外装材として取り付けるために計算されたピッチ巾やピッチ高さを有して穿たれる複数のケミカルアンカーボルト用の孔を設け、該ケミカルアンカーボルト用の孔に一次側アングルファスナー取付け用のケミカルアンカーボルトを打設し、該打設した夫々のケミカルアンカーボルトの頭部に断熱樹脂を介して一次側アングルファスナーを外壁構造体に固着し、該一次側アングルファスナーと二次側プレートファスナーを角根ボルトで連結し前記一次側アングルファスナーと二次側ファスナーの接合部に穿たれたルーズホールで前後左右の調整を行い角根ボルト・ナットにて締め付けて二次側プレートファスナーの先端部に設けられた夫々のダボピンの出幅を設定し、該夫々のダボピンの出幅設定の後に前記外壁構造躯体の外部側に設定された厚みを保有しシート状で前記ピッチ巾、及びピッチ高さにカットされた断熱材を貼着し、該断熱材の貼着は夫々の断熱材の四隅コーナーをカットした集合体の切欠部を形成して前記夫々の一次アングルファスナー及び二次プレートファスナーからなる外部側の突出部分に対して前記切欠部が開口されているように貼着し、該断熱材の貼着後において一次アングルファスナー及び二次プレートファスナーからなる外部側の突出部分に開口されている切欠部へ目視しながら低発砲ウレタン樹脂を充填して断熱材と低発砲ウレタン樹脂の断熱層が前記外壁構造躯体を被覆する構成とし、該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付け、該石材の外装材としての取付け後において各石張り外装材間に設けた石貼り目地にシーリング工事を行う石張り外断熱工法の構造でもある。
【００２３】
而して、上述した石張り外断熱工法及び構造に用いられる取付け金物は、前記外壁構造躯体の外部側に断熱材を貼着しその断熱材を挟持した状態で厚みがあり重量のある石張り外装材として取り付ける建築物の外断熱構造において、外壁取付け用の一次側アングルファスナーはケミカルアンカーの打設により外壁構造躯体に固着され、該外壁構造躯体に固着された一次側アングルファスナーの他端は石材を外装材として取り付ける方向に突出しており、該一次側アングルファスナーの突出部において二次側プレートファスナーに接合しており、該一次側アングルファスナーと二次側プレートファスナーの接合部は脱落防止用プレート上で直列に植設され断熱樹脂を被覆した二本のボルトにて接合されており、該二次側プレートファスナーの上面で夫々のナットにて前記断熱樹脂を挟持した状態で締着されおり、該一次側アングルファスナーと二次側プレートファスナーの間には熱橋対策がなされていると共に該石張り外装材の荷重の曲げ応力を支持するために一次側アングルファスナーと二次側プレートファスナーとの接合部を大きく取り、該接合部において脱落防止プレートを介して２本のボルト、または複数のボルトを使用して一次側アングルファスナーと二次側プレートファスナーとの接合部を補強した取付け金物である。
【００２４】
また、上述した石張り外断熱工法及び構造に用いられる他の取付け金物は、前記外壁構造躯体の外部側に断熱材を貼着しその断熱材を挟持した状態で厚みがあり重量のある石張り外装材として取り付ける建築物の外断熱構造において、一次側アングルファスナー取付け用のケミカルアンカーボルトの頭部は外壁構造躯体表面より突出しており、該ケミカルアンカーボルトの突出部に断熱樹脂からなり取付け孔を有する断熱プレートを挿着してその断熱プレートを外壁構造躯体と一次側アングルファスナー間で挟持し、該一次側アングルファスナーと前記ケミカルアンカーボルト間に断熱樹脂からなり中心の取付け孔を有するＴ字形状リングを挿着して脱落防止プレートを介してナットで一次アングルファスナーを外壁構造躯体に固着し、該一次側アングルファスナーと外壁構造躯体間には前記断熱プレートとＴ字形状リングにて熱橋対策がなされており、
該一次側アングルファスナーは他端で二次側プレートファスナーに接合しており、該二次側プレートファスナーの先端にダボピンを設けて石材等の外装材を取り付けることを特徴とする石張り外断熱工法に用いられる取付け金物でもある。
【００２５】
斯くして、前記熱橋対策がなされた一次側ファスナー及び二次側プレートファスナーの外部側先端部には石材取付け用のダボピンが設けられており、該ダボピン出幅設定に関しては、一次側アングルファスナー及び二次側プレートファスナーの接合部でのルーズホール等により張り代側の距離を調整することができ、また、左右方向の調整も一次側ファスナー及び二次側プレートファスナーに設けられるルーズホールにて調整がこのうであり、前記外壁構造躯体から石材の荷重を受ける支点（ダボピン出幅位置）迄の距離が一次側アングルファスナーと二次側プレートファスナーの組合せで容易に得ることができるので、この間隙、外壁構造躯体から石貼り外装材迄の間隙に断熱材を敷設することになる。
【００２６】
然しながら、前記間隙には前記石材を外装材として取り付けるために計算されたピッチ巾やピッチ高さを有して一次側アングルファスナーと二次側プレートファスナーが取り付けられており、前記外壁取付け用ファスナーが断熱材の敷設には邪魔になる。本発明において、該部分に敷設される断熱材は前記外壁構造躯体の外部側に設定された厚みを保有しシート状で前記ピッチ巾、及びピッチ高さにカットされた断熱材を用意して、その断熱材は夫々の断熱材の四隅コーナーをカットした集合体の切欠部を形成して前記夫々の一次アングルファスナー及び二次プレートファスナーからなる外部側の突出部分に対して前記切欠部が開口されているように貼着施工する。
【００２７】
そして、断熱材の貼着後において一次アングルファスナー及び二次プレートファスナーからなる外部側の突出部分に開口されている切欠部へ目視しながら低発泡ウレタン樹脂を充填して断熱材と低発砲ウレタン樹脂の断熱層が前記外壁構造躯体を被覆する工程と、該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付けるもので、該石材の外装材としての取付け後において各石張り外装材間に設けた石貼り目地にシーリング工事を施す石張り外断熱工法である。
【００２８】
尚、前記断熱材の外壁構造躯体の貼着後、断熱材の四隅コーナーが形成する切欠部に充填される低発泡ウレタン樹脂は、前記石張りの石材をダボピンを介して外装材として取り付けた後に各石貼り外装材間に設けた目地隙間を利用して、ノズルを差し込み、低発泡ウレタンを注入する方法を採用しても良い。然し、この方法では、発泡ウレタンの発泡が石張りを膨らませるために発泡度は、現場毎に慎重に対応する必要があるが、発泡ウレタンの石材への接着効果が期待でき、安全性を高める効果が期待できる。
【発明の効果】
【００２９】
本発明は、厚みがあり重量のある石材を外装材として使用する石張り外断熱工法及び石張り外断熱工法用の取付け金物を提供するものであり、特に本発明は、重量のある石材を外装材として取り付けるにあたり、外装材となる石材と構造躯体間との間隙を大きく形成することができ、その間隙に厚みのある性能の良い断熱層を介在させることが可能で断熱性能の高い石張り外断熱工法の建物を提供でき、しかも施工が簡単、且つ容易で外装材となる石材をしっかりと構造躯体に取付けすることができる石張り外断熱工法及び石張り外断熱工法の構造とその取付け金物を提供することができる。
【００３０】
また、従来工法においては、外装材と構造躯体間の間隙に介在し断熱層を形成する断熱材の敷設工程において、断熱材は外装材の取付け金物に突き刺し貫通して敷設しており、断熱材は外装材の取付け金物部分で均等に敷設されずに捲れてしまって隙間を作ったり、取付け金物部分において裂け目や貫通穴を作ってしまい、その結果として当該部分において建物に必要な断熱性能を保持できない。また、断熱材の破損は湿潤をまねき劣化を速めてしまうので、建物の１００年以上の耐久性を維持できなくなると云う大きな問題を有していたが、本発明は、断熱材の敷設方法や貼着方法にも工夫を重ねて、均等にそして、断熱部材が取付け金物部分において裂け目や貫通穴を作ってしまうことを防止した石張り外断熱工法及び石張り外断熱工法の構造とその取付け金物を提供することができる。
【００３１】
更に本発明は、特に、改修工事においても遺憾なくその利点を発揮できるもので、例えば、外壁タイルの改修工事において本発明を採用することにより、従来からある外壁構造躯体をより長持ちさせることができ、また、外装材に石材を用いることができるために建物を意匠的にグレードアップすることが可能であり、その施工に際しては外部側のみの工事となるために建物内は工事中でも人々が生活可能であり、施工後は建物として保持すべき断熱性能は均一となり建物の室内側が結露をすることを防止できると云う、建物内の環境をグレードアップした改修工事が可能な石張り外断熱工法及び石張り外断熱工法の構造とその取付け金物を提供可能にした。
【図面の簡単な説明】
【００３２】
【図１】（Ａ）本発明の実施例１を説明する正面図である。（Ｂ）図１（Ａ）の断面図である。
【図２】実施例１の要部拡大断面図で図１（Ｂ）のＡ−Ａ部分図である。
【図３】（Ａ）は実施例１の取付けファスナー部分を説明する正面図である。（Ｂ）図３（Ａ）の平断面図である。
【図４】（Ａ）実施例１のアンカー位置や樹脂モルタルの施工位置を説明する正面図である。（Ｂ）図４（Ａ）の側断面図である。
【図５】（Ａ）実施例１のファスナー位置を説明する正面図である。（Ｂ）図５（Ａ）の側断面図である。
【図６】（Ａ）実施例１の断熱材貼着方法を説明する正面図である。（Ｂ）図６（Ａ）の側断面図である。
【図７】（Ａ）実施例１の低発泡ウレタン樹脂の施工及び外装材の施工方法を説明する正面図である。（Ｂ）図７（Ａ）の側断面図である。
【図８】（Ａ）本発明の実施例２を説明する正面図である。（Ｂ）図８（Ａ）の断面図である。
【図９】実施例２の要部拡大断面図で図８（Ｂ）のＢ−Ｂ部分図である。
【図１０】（Ａ）は実施例２の取付けファスナー部分を説明する正面図である。（Ｂ）図３（Ａ）の平断面図である。
【図１１】（Ａ）実施例２のファスナー位置を説明する正面図である。（Ｂ）図５（Ａ）の側断面図である。
【図１２】（Ａ）実施例２の断熱材貼着方法を説明する正面図である。（Ｂ）図６（Ａ）の側断面図である。
【図１３】（Ａ）実施例２の低発泡ウレタン樹脂の施工及び外装材の施工方法を説明する正面図である。（Ｂ）図７（Ａ）の側断面図である。
【発明を実施するための形態】
【００３３】
斯くして、本発明は、外壁構造躯体の外部側に断熱材を貼着しその断熱材を挟持した状態で厚みがあり重量のある石材を外装材として取り付ける建築物の外断熱構造において、外壁構造躯体の外部側には前記石材を外装材として取り付けるために計算されたピッチ巾やピッチ高さを有して穿たれる複数のケミカルアンカーボルトの穿孔作業の工程と、該穿孔作業の工程後に外壁取付け用ファスナーの一次側アングルファスナーを取り付けるためのケミカルアンカーボルトを打設する工程と、該打設した夫々のケミカルアンカーボルトの頭部周辺に躯体不陸調整用樹脂モルタルを塗布して外壁構造躯体の表面を均一化する工程と、該躯体不陸調整用樹脂モルタルから突出した夫々のケミカルアンカーボルトにナットを用いて一次側アングルファスナーを外壁構造躯体に固着する工程と、該一次側アングルファスナーと二次側プレートファスナーを脱落防止用プレート上で連結し植設され夫々に断熱樹脂を被覆した二本のボルトにて装着し前記一次側アングルファスナーと二次側ファスナーの接合部に穿たれたルーズホールで前後左右の調整を行いナットにて締め付けて二次側プレートファスナーの先端部に設けられた夫々のダボピンの出幅を設定する工程と、該夫々のダボピンの出幅設定のあとに前記外壁構造躯体の外部側に設定された厚みを保有しシート状で前記ピッチ巾、及びピッチ高さにカットされた断熱材を用意しその断熱材は夫々の断熱材の四隅コーナーをカットした集合体の切欠部を形成して前記夫々の一次アングルファスナー及び二次プレートファスナーの外部側の突出部分に対して前記切欠部が開口されているように貼着施工する工程と該断熱材の貼着後において一次アングルファスナー及び二次プレートファスナーの外部側の突出部分に開口されている切欠部へ目視しながら低発砲ウレタン樹脂を充填して断熱材と低発砲ウレタン樹脂の断熱層が前記外壁構造躯体を被覆する工程と該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付ける工程と、該石材の外装材としての取付け後において各石張り外装材間に設けた石貼り目地にシーリング工事を施すことを特徴とする改築工事用の石張り外断熱工法を提供するものである。
【００３４】
また、本発明は、外壁構造躯体の外部側に断熱材を貼着しその断熱材を挟持した状態で厚みがあり重量のある石材を外装材として取り付ける建築物の外断熱構造において、外壁構造躯体の外部側には前記石材を外装材として取り付けるために計算されたピッチ巾やピッチ高さを有して穿たれる複数のケミカルアンカーボルトの穿孔作業の工程と、該穿孔作業の工程後に外壁取付け用ファスナーの一次側アングルファスナーを取り付けるためのケミカルアンカーボルトを打設する工程と、該打設した夫々のケミカルアンカーボルトの頭部に断熱樹脂を介して一次側アングルファスナーを外壁構造体に固着する工程と、
該一次側アングルファスナーと二次側プレートファスナーを角根ボルトで連結し前記一次側アングルファスナーと二次側ファスナーの接合部に穿たれたルーズホールで前後左右の調整を行い角根ボルト・ナットにて締め付けて二次側プレートファスナーの先端部に設けられた夫々のダボピンの出幅を設定する工程と、該夫々のダボピンの出幅設定の後に前記外壁構造躯体の外部側に設定された厚みを保有しシート状で前記ピッチ巾、及びピッチ高さにカットされた断熱材を準備し、その断熱材は夫々の断熱材の四隅コーナーをカットした集合体の切欠部を形成して前記夫々の一次アングルファスナー及び二次プレートファスナーからなる外部側の突出部分に対して前記切欠部が開口されているように貼着施工する工程と該断熱材の貼着後において一次アングルファスナー及び二次プレートファスナーからなる外部側の突出部分に開口されている切欠部へ目視しながら低発砲ウレタン樹脂を充填して断熱材と低発砲ウレタン樹脂の断熱層が前記外壁構造躯体を被覆する工程と該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付ける工程と、該石材の外装材としての取付け後において各石張り外装材間に設けた石貼り目地にシーリング工事を施す石張り外断熱工法である。
【００３５】
そして、本発明は、外壁構造躯体の外部側に断熱材を貼着しその断熱材を挟持した状態で厚みがあり重量のある石材を外装材として取り付ける建築物の外断熱構造において、前記外壁構造躯体の外部側には石材を外装材として取り付けるために計算されたピッチ巾やピッチ高さを有して穿たれる複数のケミカルアンカーボルト用の孔を設け、該ケミカルアンカーボルト用の孔に一次側アングルファスナー取付け用のケミカルアンカーボルトを打設し、該打設した夫々のケミカルアンカーボルトの頭部周辺に躯体不陸調整用樹脂モルタルを塗布して外壁構造躯体の表面を均一化し、該躯体不陸調整用樹脂モルタルから突出した夫々のケミカルアンカーボルトの頭部にナットを用いて一次側アングルファスナーを固着し、該一次側アングルファスナーの他辺には二次側プレートファスナーを脱落防止用プレート上で連結し植設された構造で夫々に断熱樹脂を被覆した二本のボルトにて装着し、該一次側アングルファスナーと二次側プレートファスナーの接合部には前記断熱ゴムが挟持されており、穿たれたルーズホールで前後左右の調整を行いナットにて締め付けて二次側プレートファスナーの先端部に設けられた夫々のダボピンの出幅を設定し、該夫々のダボピンの出幅設定のあとに前記外壁構造躯体の外部側に設定された厚みを保有しシート状で前記ピッチ巾、及びピッチ高さにカットされた断熱材を貼着し、該断熱材の貼着は夫々の断熱材の四隅コーナーをカットした集合体の切欠部を形成して前記夫々の一次アングルファスナー及び二次プレートファスナーからなる外部側の突出部分に対して前記切欠部が開口されているように貼着し、該断熱材の貼着後において一次アングルファスナー及び二次プレートファスナーからなる外部側の突出部分に開口されている切欠部には目視しながら低発砲ウレタン樹脂を充填して断熱材と低発砲ウレタン樹脂の断熱層が前記外壁構造躯体を被覆する構成とし、該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付け、該石材の外装材としての取付け後において各石張り外装材間に設けた石貼り目地にシーリングを行うことを特徴とする石張り外断熱工法の構造を提供するものである。
【００３６】
また、本発明は、外壁構造躯体の外部側に断熱材を貼着しその断熱材を挟持した状態で厚みがあり重量のある石材を外装材として取り付ける建築物の外断熱構造において、外壁構造躯体の外部側には前記石材を外装材として取り付けるために計算されたピッチ巾やピッチ高さを有して穿たれる複数のケミカルアンカーボルト用の孔を設け、該ケミカルアンカーボルト用の孔に一次側アングルファスナー取付け用のケミカルアンカーボルトを打設し、該打設した夫々のケミカルアンカーボルトの頭部に断熱樹脂を介して一次側アングルファスナーを外壁構造体に固着し、該一次側アングルファスナーと二次側プレートファスナーを角根ボルトで連結し前記一次側アングルファスナーと二次側ファスナーの接合部に穿たれたルーズホールで前後左右の調整を行い角根ボルト・ナットにて締め付けて二次側プレートファスナーの先端部に設けられた夫々のダボピンの出幅を設定し、該夫々のダボピンの出幅設定の後に前記外壁構造躯体の外部側に設定された厚みを保有しシート状で前記ピッチ巾、及びピッチ高さにカットされた断熱材を貼着し、該断熱材の貼着は夫々の断熱材の四隅コーナーをカットした集合体の切欠部を形成して前記夫々の一次アングルファスナー及び二次プレートファスナーからなる外部側の突出部分に対して前記切欠部が開口されているように貼着し、該断熱材の貼着後において一次アングルファスナー及び二次プレートファスナーからなる外部側の突出部分に開口されている切欠部へ目視しながら低発砲ウレタン樹脂を充填して断熱材と低発砲ウレタン樹脂の断熱層が前記外壁構造躯体を被覆する構成とし、該切欠部への低発砲ウレタン樹脂の充填後に外壁取付け用ファスナーの二次側プレートファスナーの先端部に設けられた夫々のダボピンを用いて石材の外装材縁部に設けられたダボ穴にダボピンを装着して石材の外装材を取り付け、該石材の外装材としての取付け後において各石張り外装材間に設けた石貼り目地にシーリング工事を施す石張り外断熱工法の構造を提供するものである。
【００３７】
斯くして、本発明の実施例１の取付け金物は、外壁構造躯体の外部側に断熱材を貼着しその断熱材を挟持した状態で厚みがあり重量のある石張り外装材として取り付ける建築物の外断熱構造において、外壁取付け用の一次側アングルファスナーはケミカルアンカーの打設により外壁構造躯体に固着され、該外壁構造躯体に固着された一次側アングルファスナーの他端は石材を外装材として取り付ける方向に突出しており、
該一次側アングルファスナーの突出部において二次側プレートファスナーに接合しており、該一次側アングルファスナーと二次側プレートファスナーの接合部は脱落防止用プレート上で直列に植設され断熱ゴムを被覆した二本のボルトにて接合されており、該二次側プレートファスナーの上面で夫々のナットにて前記断熱樹脂を挟持した状態で締着されおり、該一次側アングルファスナー１１と二次側プレートファスナーの間には熱橋対策がなされていると共に該石張り外装材の荷重の曲げ応力を支持するために一次側アングルファスナーと二次側プレートファスナーとの接合部を大きく取り、該接合部において脱落防止プレートを介して２本のボルト、または複数のボルトを使用して一次側アングルファスナーと二次側プレートファスナーとの接合部を補強したことを特徴とする改築工事用の石張り外断熱工法の構造とその取付け金物を提供するものである。
【００３８】
また、本発明の実施例２の取付け金物は、外壁構造躯体の外部側に断熱材を貼着しその断熱材を挟持した状態で厚みがあり重量のある石張り外装材として取り付ける建築物の外断熱構造において、一次側アングルファスナー取付け用のケミカルアンカーボルトの頭部は外壁構造躯体表面より突出しており、該ケミカルアンカーボルトの突出部に断熱樹脂からなり取付け孔を有する断熱プレートを挿着してその断熱プレートを外壁構造躯体と一次側アングルファスナー間で挟持し、該一次側アングルファスナーと前記ケミカルアンカーボルト間に断熱樹脂からなり中心の取付け孔を有するＴ字形状リングを挿着して脱落防止プレートを介してナットで一次アングルファスナーを外壁構造躯体に固着し、該一次側アングルファスナーと外壁構造躯体間には前記断熱プレートとＴ字形状リングにて熱橋対策がなされており、該一次側アングルファスナーは他端で二次側プレートファスナーに接合しており、該二次側プレートファスナーの先端にダボピンを設けて石材等の外装材を取り付けることを特徴とする石張り外断熱工法の構造とその取付け金物を提供するものである。
【実施例１】
【００３９】
図１において、１、１ａ、１ｂ、１ｃ・・・は石張り外装材を示しており、２は外壁構造躯体、３は外壁構造躯体の表面を示している。そして、外壁構造躯体表面３は建物の外部側を示しており、この建物外部側の外壁構造躯体表面３には、所定厚さの断熱材４、４ａ、４ｂ、４ｃ・・・を貼着させると共に外壁構造躯体表面３に夫々躯体不陸調整用樹脂モルタル５、５ａ、５ｂ、５ｃ・・・を塗布して外壁構造躯体２の表面を均一化して、ケミカルアンカーボルト６、６ａ、６ｂ、６ｃ・・・にて取り付けた石材取付け用ファスナー７、７ａ、７ｂ、７ｃ・・・が設けられている。而して、石材取付け用ファスナー７、７ａ、７ｂ、７ｃ・・・の先端においては前記石張り外装材１、１ａ、１ｂ、１ｃ・・・装着されており、前記建物外壁構造躯体表面３が断熱材４、４ａ、４ｂ、４ｃ・・・及び後から充填される低発泡ウレタンから成る断熱材８等に包みこまれているために、外気の寒暖から守られると同時に、大きな熱容量によって建物の温度変動が小さくなり、室温が快適な環境に保たれるもので、冬季には、外壁は室温と同調して高い温度に保たれるために冬季に発生する建物内部壁での結露が起きにくくカビやダニの発生を防ぐことができる。また、日射熱による躯体の膨張収縮が減少し、外壁構造躯体の劣化を防ぐことや、雨風に直接さらされないので雨滴の躯体への侵入防ぎ鉄筋の腐食防止にも繋がるので、健康で快適、そして、１００年以上の耐久性がある長寿命の建物を施工することが可能となり、また、石張り外断熱工法に外壁を改築することにより既存の建物においても内壁の結露を防いで健康で快適な建物に改修でき、建物の寿命を大幅に伸ばすことが可能となる。
【００４０】
而して、本発明の具体的な構造を図２及び図３において説明する。図２において、２は外壁構造躯体、３は外壁構造躯体の表面、４ａ、４ｂ・・・は１００ｍｍの厚さを有する断熱材、８は前記断熱材４の切欠部９に充填された低発泡ウレタンからなる断熱材、１０は施工精度の差を調整するために設けた調整用の隙間、１、１ａ、１ｂは石張り外装材を示している。そして、図１において示した石材取付け用ファスナー７ａ、７ｂ、７ｃ・・・は、図２及び図３において一次側アングルファスナー１１と二次側プレートファスナー１２の二つのファスナー部材に分かれて配置されている。
【００４１】
また、上記一次側アングルファスナー１１と二次側プレートファスナー１２の取付け構造は、外壁構造躯体の表面３に前記石張り外装材１ａ、１ｂとして取り付けるために計算されて位置決めしたピッチ巾やピッチ高さを有しており、その位置決めされたピッチ巾やピッチ高さ上には、ケミカルアンカーボルト６、６ａ、６ｂ、６ｃ・・・が打設されており、該ケミカルアンカーボルト６、６ａ、６ｂ、６ｃ・・・等は打設された時にケミカルアンカーボルトの穿孔内で樹脂に囲まれているために当該部分にて熱橋対策がなされている。
【００４２】
更に、複数のケミカルアンカーボルト６ａの頭部周辺では、夫々に躯体不陸調整用樹脂モルタル５、５ａ、５ｂ、５ｃ・・・を塗布して外壁構造躯体の表面３を均一化する作業を行った後に、該躯体不陸調整用樹脂モルタル５、５ａ、５ｂ、５ｃ・・・から突出したケミカルアンカーボルト６の頭部にナット１３を用いて締着し、前記一次側アングルファスナー１１を外壁構造躯体の表面３で固着している構成で、金属製の一次側アングルファスナー１１は躯体不陸調整用樹脂モルタル５、５ａ、５ｂ、５ｃ・・・を介して外壁構造躯体２に固着されており、該固着部分において金属製の一次側アングルファスナー１１は、熱橋対策がなされている。
【００４３】
そして、前記一次側アングルファスナー１１の他端は、前記石張り外装材１ａ、１ｂ方向に突出しており、該一次側アングルファスナー１１の突出部において前記二次側プレートファスナー１２は一次側アングルファスナー１１と接合している。一次側アングルファスナー１１と二次側プレートファスナー１２の接合は、脱落防止用プレート１４上で直列に植設され断熱樹脂１５ａ，１５ｂを被覆した二本のボルト１６ａ，１６ｂにて接合されており、二次側プレートファスナー１２の上面でナット１７ａ，１７ｂにて前記断熱樹脂１５ａ，１５ｂを挟持した状態で締着されおり、一次側アングルファスナー１１と二次側プレートファスナー１２の間には、前記断熱樹脂１５ａ，１５ｂが介在して熱橋対策がなされている。
【００４４】
斯くして、一般の石貼り乾式工法において、石材の荷重を受ける支点は、外壁構造躯体から４０〜５０ｍｍ程度である。然し、石貼り外断熱工法では、断熱材４の厚みが１００ｍｍの場合、外壁構造躯体２から支点迄の距離が１３０〜１４０ｍｍとなり石張り外装材１ａ、１ｂの荷重の曲げ応力を支持するには、前記一次側アングルファスナー１１と二次側プレートファスナー１２との接合部１８を大きく取り、該接合部１８部分において脱落防止プレート１４を介して二本のボルト１６ａ，１６ｂまたは三本等複数のボルトを使用して一次側アングルファスナー１１と二次側プレートファスナー１２との接合部１８を補強する構成が必要で、この時、外壁構造躯体２側は引き抜きボルトになるために下部に脱落防止用プレート１４を設けた構成としている。
【００４５】
そして、石張り外装材１ａ、１ｂの荷重の曲げ応力を支持可能に構成された二次側プレートファスナー１２は先端部１９を有しており、該先端部１９には石張り外装材１、１ａ、１ｂ、１ｃ・・・の縁部に穿たれたダボ孔２０ａ、２０ｂ、２０ｃ、２０ｄに係合するダボピン２１ａ、２１ｂ、２１ｃ、２１ｄが設けられており、前記ダボ孔２０ａ、２０ｂ、２０ｃ、２０ｄに二次側プレートファスナー１２の先端部１９設けられたダボピン２１ａ、２１ｂ、２１ｃ、２１ｄを係合して石張り外装材１、１ａ、１ｂ、１ｃ・・・等を取り付けるものである。
【００４６】
本発明において、石貼り外断熱工法及び構造を説明する。図４はアンカー位置や樹脂モルタルの施工位置を説明するもので（Ａ）は正面図、（Ｂ）側断面図である。図５はファスナー位置を説明するもの、図６断熱材貼着方法を説明するもの、そして、図７は低発泡ウレタン樹脂の施工及び外装材の施工方法を説明するものである。また、図４乃至図７において、図１乃至図３と同一符号は、同一構成要素を示している。
【００４７】
斯くして、本発明は、外壁構造躯体２の外部側に断熱材４、４ａ、４ｂ、４ｃ・・・を貼着しその断熱材４、４ａ、４ｂ、４ｃ・・・を挟持した状態で厚みがあり重量のある石張り外装材１、１ａ、１ｂ、１ｃ・・・として取り付ける建築物の外断熱構造において、外壁構造躯体２の外部側には前記石張り外装材１、１ａ、１ｂ、１ｃ・・・を取り付けるために計算されたピッチ巾やピッチ高さを有して穿たれる複数のケミカルアンカーボルト６、６ａ、６ｂ、６ｃ・・・の穿孔作業の工程と、該穿孔作業の工程後に外壁取付け用ファスナーの一次側アングルファスナー１１を取り付けるためのケミカルアンカーボルト６、６ａ、６ｂ、６ｃ・・・を打設する工程が実施される。
【００４８】
また、前記打設した夫々のケミカルアンカーボルト６、６ａ、６ｂ、６ｃ・・・の頭部周辺に躯体不陸調整用樹脂モルタル５、５ａ、５ｂ、５ｃ・・・を塗布して外壁構造躯体の表面３を均一化する工程と、
該躯体不陸調整用樹脂モルタル５、５ａ、５ｂ、５ｃ・・・から突出した夫々のケミカルアンカーボルト６、６ａ、６ｂ、６ｃ・・・にナット１３を用いて一次側アングルファスナー１１を外壁構造躯体２に固着する工程と、該一次側アングルファスナー１１と二次側プレートファスナー１２を脱落防止用プレート１４上で連結し植設され夫々に断熱樹脂１５ａ，１５ｂを被覆した二本のボルト１６ａ，１６ｂにて装着し前記一次側アングルファスナー１１と二次側ファスナー１２の接合部１８に穿たれたルーズホール２２で前後左右の調整を行いナット１７ａ，１７ｂにて締め付けて二次側プレートファスナー１２の先端部に設けられた夫々のダボピン２１ａ、２１ｂ、２１ｃ、２１ｄの出幅を設定する工程が実施される。
【００４９】
更に、実施例１においては、夫々のダボピン２１ａ、２１ｂ、２１ｃ、２１ｄの出幅設定のあとに前記外壁構造躯体２の外部側に設定された厚みを保有しシート状で前記ピッチ巾、及びピッチ高さにカットされた断熱材４ａ、４ｂ、４ｃ・・・を用意し、その断熱材４ａ、４ｂ、４ｃ・・・は夫々の断熱材の四隅コーナーをカットした形状で、その集合体は切欠部２３ａ、２３ｂ、２３ｃ、２３ｄ・・・を形成して前記夫々の一次側アングルファスナー１１及び二次側プレートファスナー１２の外部側の突出部分に対して前記切欠部２３ａ、２３ｂ、２３ｃ、２３ｄ・・・が開口されているように貼着施工する工程と、該断熱材４ａ、４ｂ、４ｃ・・・の貼着後において一次側アングルファスナー１１及び二次側プレートファスナー１２の外部側の突出部分に開口されている切欠部２３ａ、２３ｂ、２３ｃ、２３ｄ・・・へ目視しながら低発砲ウレタン樹脂８を充填して断熱材４ａ、４ｂ、４ｃ・・・と低発砲ウレタン樹脂８の断熱層が前記外壁構造躯体２を被覆する工程とが実施される。
【００５０】
そして、前記切欠部２３ａ、２３ｂ、２３ｃ、２３ｄ・・・への低発砲ウレタン樹脂８の充填後に二次側プレートファスナー１２の先端部に設けられた夫々のダボピン２１ａ、２１ｂ、２１ｃ、２１ｄを用いて石材の外装材縁部に設けられたダボ穴２０ａ、２０ｂ、２０ｃ、２０ｄにダボピン２１ａ、２１ｂ、２１ｃ、２１ｄを装着して石張り外装材１ａ、１ｂ、１ｃ・・・を取り付ける工程と、該石張り外装材１ａ、１ｂ、１ｃ・・・の取付け後において各石張り外装材１ａ、１ｂ、１ｃ・・・間に設けた石貼り目地２４にシーリング工事を施すことを特徴とする石張り外断熱工法を提供するものである。
【００５１】
また、本発明の石張り断熱工法の構造を図４乃至図７にて説明する。本発明の石張り断熱工法の構造は、外壁構造躯体２の外部側に断熱材４ａ、４ｂ、４ｃ・・・を貼着し、夫々の断熱材４ａ、４ｂ、４ｃ・・・を挟持した状態で厚みがあり重量のある石張り外装材１ａ、１ｂ、１ｃ・・・を取り付ける建築物の外断熱構造において、前記外壁構造躯体２の外部側には石張り外装材１ａ、１ｂ、１ｃ・・・を取り付けるために計算されたピッチ巾やピッチ高さを有して穿たれる複数のケミカルアンカーボルト６ａ、６ｂ、６ｃ・・・  用の孔を設け、該ケミカルアンカーボルト用の孔に一次側アングルファスナー１１の取付け用のケミカルアンカーボルト６ａ、６ｂ、６ｃ・・・  を打設し、該打設した夫々のケミカルアンカーボルト６ａ、６ｂ、６ｃ・・・  の頭部周辺に躯体不陸調整用樹脂モルタル５ａ、５ｂ、５ｃ・・・を塗布して外壁構造躯体の表面３を均一化し、該躯体不陸調整用樹脂モルタル５ａ、５ｂ、５ｃ・・・から突出した夫々のケミカルアンカーボルト６ａ、６ｂ、６ｃ・・・の頭部にナット１３を用いて一次側アングルファスナー１１を固着する。
【００５２】
また、一次側アングルファスナー１１の他辺には二次側プレートファスナー１２を脱落防止用プレート１４上で連結し植設された構造で夫々に断熱ゴム１５ａ，１５ｂを被覆した二本のボルト１６ａ，１６ｂにて装着し、該一次側アングルファスナー１１と二次側プレートファスナー１２の接合部１８には前記断熱ゴム１５ａ，１５ｂが挟持されており、穿たれたルーズホール２２で前後左右の調整を行いナット１３にて締め付けて二次側プレートファスナー１１の先端部に設けられた夫々のダボピン２１ｂ、２１ｃ、２１ｄの出幅を設定し、該夫々のダボピン２１ｂ、２１ｃ、２１ｄの出幅設定のあとに前記外壁構造躯体２の外部側に設定された厚みを保有しシート状で前記ピッチ巾、及びピッチ高さにカットされた断熱材４ａ、４ｂ、４ｃ・・・を貼着し、該断熱材４ａ、４ｂ、４ｃ・・・の貼着は夫々の断熱材の四隅コーナーをカットした集合体の切欠部２３ａ、２３ｂ、２３ｃ、２３ｄ・・・を形成して前記夫々の一次側アングルファスナー１１及び二次側プレートファスナー１２からなる外部側の突出部分に対して前記切欠部２３ａ、２３ｂ、２３ｃ、２３ｄ・・・が開口されているように貼着している。
【００５３】
そして、断熱材の貼着後において一次側アングルファスナー１１及び二次側プレートファスナー１２からなる外部側の突出部分に開口されている切欠部２３ａ、２３ｂ、２３ｃ、２３ｄ・・・には目視しながら低発砲ウレタン樹脂８を充填して断熱材４ａ、４ｂ、４ｃ・・・と低発砲ウレタン樹脂８の断熱層が前記外壁構造躯体２を被覆する構成とし、該切欠部２３ａ、２３ｂ、２３ｃ、２３ｄ・・・への低発砲ウレタン樹脂８の充填後に外壁取付け用ファスナーの二次側プレートファスナー１２の先端部に設けられた夫々のダボピン２１ａ、２１ｂ、２１ｃ、２１ｄを用いて石材の外装材縁部に設けられたダボ穴２０ｂ、２０ｃ、２０ｄにダボピン２１ａ、２１ｂ、２１ｃ、２１ｄを装着して石張り外装材１ａ、１ｂ、１ｃ・・・を取り付け、該石張り外装材１ａ、１ｂ、１ｃ・・・の取付け後において各石張り外装材間に設けた石貼り目地２４にシーリング２５を行う石張り外断熱工法の構造である。
【００５４】
尚、上述した石張り外断熱工法の構造において、前記断熱材４ａ、４ｂ、４ｃ・・・の外壁構造躯体２の貼着後、断熱材４ａ、４ｂ、４ｃ・・・の四隅コーナーが形成する切欠部２３ａ、２３ｂ、２３ｃ、２３ｄ・・・に充填される低発泡ウレタン樹脂８は、前記石張り外装材１ａ、１ｂ、１ｃ・・・をダボピン２１ａ、２１ｂ、２１ｃ、２１ｄにて外装材として取り付けた後に各石貼り外装材１ａ、１ｂ、１ｃ・・・間に設けた石張り目地２４の隙間を利用して、ノズルを差し込み、低発泡ウレタン樹脂８を注入する構造を採用しても良い。然し、この方法では、発泡ウレタン樹脂の発泡が石張り外装材を膨らませるために発泡度は、現場毎に慎重に対応する必要があるが、発泡ウレタン樹脂の石材への接着効果が期待でき、安全性を高める効果が期待できる。
【実施例２】
【００５５】
図８において、１、１ａ、１ｂ、１ｃ・・・は石張り外装材を示しており、２は外壁構造躯体、３は外壁構造躯体の表面を示している。そして、外壁構造躯体表面３は建物の外部側を示しており、この建物外部側の外壁構造躯体表面３には、所定厚さの断熱材４、４ａ、４ｂ、４ｃ・・・を貼着させると共にケミカルアンカーボルト６、６ａ、６ｂ、６ｃ・・・部分において夫々断熱樹脂からなり取付け孔２６を有する断熱プレート２７を挿着して外壁構造躯体表面３と石材取付け用ファスナー７、７ａ、７ｂ、７ｃ・・・間に熱橋対策を施している。而して、石材取付け用ファスナー７、７ａ、７ｂ、７ｃ・・・の先端においては前記石張り外装材１、１ａ、１ｂ、１ｃ・・・装着されており、前記建物外壁構造躯体表面３が断熱材４、４ａ、４ｂ、４ｃ・・・及び後から充填される低発泡ウレタンから成る断熱材８に包みこまれているために、外気の寒暖から守られると同時に、大きな熱容量によって建物の温度変動が小さくなり、室温が快適な環境に保たれるもので、冬季には、外壁は室温と同調して高い温度に保たれるために冬季に発生する建物内部壁での結露が起きにくくカビやダニの発生を防ぐことができる。また、日射熱による躯体の膨張収縮が減少し、外壁構造躯体の劣化を防ぐことや、雨風に直接さらされないので雨滴の躯体への侵入防ぎ鉄筋の腐食防止にも繋がるので、健康で快適、そして、１００年以上の耐久性がある長寿命の建物を施工することが可能となり、また、石張り外断熱工法に外壁を改築することにより既存の建物においても内壁の結露を防いで健康で快適な建物に改修でき、建物の寿命を大幅に伸ばすことが可能となる。
【００５６】
而して、本発明の具体的な構造を図９及び図１０において説明する。図９において、２は外壁構造躯体、３は外壁構造躯体の表面、４ａ、４ｂ・・・は１００ｍｍの厚さを有する断熱材、８は前記断熱材４の切欠部９に充填された低発泡ウレタンからなる断熱材、１０は施工精度の差を調整するために設けた調整用の隙間、１、１ａ、１ｂは石張り外装材を示している。そして、図８において示した石材取付け用ファスナー７ａ、７ｂ、７ｃ・・・は、図９及び図１０において一次側アングルファスナー２８と二次側プレートファスナー２９の二つのファスナー部材に分かれて配置されている。
【００５７】
また、上記一次側アングルファスナー２８と二次側プレートファスナー２９の取付け構造は、外壁構造躯体の表面３に前記石張り外装材１ａ、１ｂとして取り付けるために計算されて位置決めしたピッチ巾やピッチ高さを有しており、その位置決めされたピッチ巾やピッチ高さ上には、ケミカルアンカーボルト６、６ａ、６ｂ、６ｃ・・・が打設されており、該ケミカルアンカーボルト６、６ａ、６ｂ、６ｃ・・・等は打設された時にケミカルアンカーボルトの穿孔内で樹脂に囲まれているために当該部分にて熱橋対策がなされている。
【００５８】
当該部分を図９にて詳説すれば、一次側アングルファスナー取付け用のケミカルアンカーボルト６ｂの頭部は外壁構造躯体表面３より突出しており、該ケミカルアンカーボルト６ｂの突出部に断熱樹脂からなり取付け孔２６を有する断熱プレート２７を挿着してその断熱プレート２７を外壁構造躯体２と一次側アングルファスナー２８間で挟持し、該一次側アングルファスナー２８と前記ケミカルアンカーボルト６ｂ間に断熱樹脂からなり中心の取付け孔３０を有するＴ字形状リング３１を挿着して脱落防止プレート３２を介してナット３３で一次側アングルファスナー２８を外壁構造躯体表面３に固着し、該一次側アングルファスナー２８と外壁構造躯体表面３間には前記断熱プレート２７とＴ字形状リング３１にて熱橋対策がなされており、該一次側アングルファスナー２８は他端で二次側プレートファスナー２９に接合しており、該二次側プレートファスナー２９の先端部１９には石張り外装材１、１ａ、１ｂ、１ｃ・・・の縁部に穿たれたダボ孔２０ａ、２０ｂ、２０ｃ、２０ｄに係合するダボピン２１ａ、２１ｂ、２１ｃ、２１ｄが設けられており、前記ダボ孔２０ａ、２０ｂ、２０ｃ、２０ｄに二次側プレートファスナー２９の先端部１９設けられたダボピン２１ａ、２１ｂ、２１ｃ、２１ｄを係合して石張り外装材１、１ａ、１ｂ、１ｃ・・・等を取り付けるものである。
【００５９】
実施例２おいて、石貼り外断熱工法及び構造を説明する。図１１はアンカー位置や取付けファスナーの施工位置を説明するもので（Ａ）は正面図、（Ｂ）側断面図である。図１１は断熱材貼着方法を説明するもの、そして、図７は低発泡ウレタン樹脂の施工及び外装材の施工方法を説明するものである。また、図１１乃至図１３において、図８乃至図１０と同一符号は、同一構成要素を示している。
【００６０】
斯くして、実施例２は、外壁構造躯体１の外部側に断熱材４、４ａ、４ｂ、４ｃ・・・を貼着しその断熱材を挟持した状態で厚みがあり重量のある石材を外装材１、１ａ、１ｂ、１ｃ・・・として取り付ける建築物の外断熱構造において、図１１に示す如く、外壁構造躯体２の外部側には前記石材を外装材１、１ａ、１ｂ、１ｃ・・・として取り付けるために計算されたピッチ巾やピッチ高さを有して穿たれる複数のケミカルアンカーボルト６、６ａ、６ｂ、６ｃ・・・の穿孔作業を行い、該穿孔作業の工程後に外壁取付け用ファスナーの一次側アングルファスナー２８を取り付けるためのケミカルアンカーボルト６、６ａ、６ｂ、６ｃ・・・を打設し、該打設した夫々のケミカルアンカーボルト６、６ａ、６ｂ、６ｃ・・・の頭部に断熱樹脂からなり取付け孔２６を有する断熱プレート２７を挿着してその断熱プレート２７を外壁構造躯体２と一次側アングルファスナー２８間で挟持し、該一次側アングルファスナー２８と前記ケミカルアンカーボルト６ｂ間に断熱樹脂からなり中心の取付け孔３０を有するＴ字形状リング３１を挿着して脱落防止プレート３２を介してナット３３で一次側アングルファスナー２８を外壁構造躯体表面３に固着し、該一次側アングルファスナー２８と外壁構造躯体表面３間において断熱プレート２７とＴ字形状リング３１にて熱橋対策を施している。
【００６１】
次に、図１２は、一次側アングルファスナー２８と二次側プレートファスナー２９を角根ボルト３４で連結し前記一次側アングルファスナー２８と二次側ファスナー２９の接合部に穿たれたルーズホールで前後左右の調整を行い角根ボルト３２、ナット３５にて締め付けて二次側プレートファスナー２９の先端部に設けられた夫々のダボピンの出幅を設定する工程と、該夫々のダボピンの出幅設定の後に前記外壁構造躯体の外部側に設定された厚みを保有しシート状で前記ピッチ巾、及びピッチ高さにカットされた断熱材４、４ａ、４ｂ、４ｃ・・・を準備し、その断熱材４、４ａ、４ｂ、４ｃ・・・は夫々の断熱材の四隅コーナーをカットした集合体の切欠部２３ａ、２３ｂ、２３ｃ、２３ｄ・・・を形成して前記夫々の一次側アングルファスナー２８及び二次プレートファスナー２８からなる外部側の突出部分に対して前記切欠部２３ａ、２３ｂ、２３ｃ、２３ｄ・・・が開口されているように断熱材４ａ、４ｂ、４ｃ・・・を貼着する。
【００６２】
而して、図１３は、断熱材４ａ、４ｂ、４ｃ・・・の貼着後において一次側アングルファスナー２８及び二次側プレートファスナーからなる外部側の突出部分に開口されている切欠部２３ａ、２３ｂ、２３ｃ、２３ｄ・・・へ目視しながら低発砲ウレタン樹脂を充填して断熱材と低発砲ウレタン樹脂の断熱層が前記外壁構造躯体を被覆する作業と該切欠部２３ａ、２３ｂ、２３ｃ、２３ｄ・・・への低発砲ウレタン樹脂８の充填後に外壁取付け用ファスナーの二次側プレートファスナー２８の先端部に設けられた夫々のダボピンを用いて石材の外装材縁部に設けられたダボ穴２０ａ、２０ｂ、２０ｃ、２０ｄ  にダボピン２１ａ、２１ｂ、２１ｃ、２１ｄを装着して石材の外装材を取り付ける作業と、該石材の外装材１ａ、１ｂ、１ｃ・・・としての取付け後において各石張り外装材間に設けた石貼り目地２４にシーリング２５を施工する。
【００６３】
尚、上述した石張り外断熱工法の構造において、前記断熱材４ａ、４ｂ、４ｃ・・・の外壁構造躯体２の貼着後、断熱材４ａ、４ｂ、４ｃ・・・の四隅コーナーが形成する切欠部２３ａ、２３ｂ、２３ｃ、２３ｄ・・・に充填される低発泡ウレタン樹脂８は、前記石張り外装材１ａ、１ｂ、１ｃ・・・をダボピン２１ａ、２１ｂ、２１ｃ、２１ｄにて外装材として取り付けた後に各石貼り外装材１ａ、１ｂ、１ｃ・・・間に設けた石張り目地２４の隙間を利用して、ノズルを差し込み、低発泡ウレタン樹脂８を注入する構造を採用しても良い。然し、この方法では、発泡ウレタン樹脂の発泡が石張り外装材を膨らませるために発泡度は、現場毎に慎重に対応する必要があるが、発泡ウレタン樹脂の石材への接着効果が期待でき、安全性を高める効果が期待できる。
【００６４】
本発明は、厚みがあり重量のある石材を外装材として使用する石張り外断熱工法及び石張り外断熱工法用の取付け金物を提供するものであり、特に本発明は、重量のある石材を外装材として取り付けるにあたり、外装材となる石材と構造躯体間との間隙を大きく形成することができ、その間隙に厚みのある性能の良い断熱層を介在させることが可能で断熱性能の高い石張り外断熱工法の建物を提供でき、しかも施工が簡単、且つ容易で外装材となる石材をしっかりと構造躯体に取付けすることができる石張り外断熱工法及び石張り外断熱工法の構造とその取付け金物を提供することができる。
【００６５】
また、従来工法においては、外装材と構造躯体間の間隙に介在し断熱層を形成する断熱材の敷設工程において、断熱材は外装材の取付け金物に突き刺して敷設しており、断熱材は外装材の取付け金物部分で均等に敷設されずに捲れてしまって隙間を作ったり、取付け金物部分において裂け目や貫通穴を作ってしまい、その結果として当該部分において断熱効果を損ない、また、断熱材の破損は湿潤をまねき劣化を速めてしまうので、建物の１００年以上の耐久性を維持できなくなると云う大きな問題を有していたが、本発明は、断熱材の敷設方法や貼着方法にも工夫を重ねて、均等にそして、断熱部材が取付け金物部分において裂け目や貫通穴を作ってしまうことを防止した石張り外断熱工法及び石張り外断熱工法の構造とその取付け金物を提供することができる。
【００６６】
更に本発明は、特に、実施例１の如く改修工事においても遺憾なくその利点を発揮できるもので、例えば、外壁タイルの改修工事において本発明を採用することにより、従来からある外壁構造躯体をより長持ちさせることができ、また、外装材に石材を用いることができるために建物を意匠的にグレードアップすることが可能であり、その施工に際しては外部側のみの工事となるために建物内は工事中でも人々が生活可能であり、施工後は内装をいじることなく内壁の温度が下がり内壁が結露をすることを防止できると云う、建物内の環境をグレードアップした改修工事が可能な石張り外断熱工法及び石張り外断熱工法の構造とその取付け金物を提供可能にした。
【符号の説明】
【００６７】
１、１ａ、１ｂ、１ｃ・・・  石張り外装材
２  外壁構造躯体  
３  外壁構造躯体の表面
４、４ａ、４ｂ、４ｃ・・・  断熱材
５、５ａ、５ｂ、５ｃ・・・  躯体不陸調整用樹脂モルタル
６、６ａ、６ｂ、６ｃ・・・  ケミカルアンカーボルト
７、７ａ、７ｂ、７ｃ・・・  石材取付け用ファスナー
８  低発泡ウレタン樹脂（断熱材）
９  切欠部
１０  調整用の隙間
１１  一次側アングルファスナー
１２  二次側プレートファスナー
１３  ナット
１４  脱落防止用プレート
１５ａ，１５ｂ  断熱樹脂
１６ａ，１６ｂ  ボルト
１７ａ，１７ｂ  ナット
１８  接合部
１９  先端部
２０ａ、２０ｂ、２０ｃ、２０ｄ  ダボ孔
２１ａ、２１ｂ、２１ｃ、２１ｄ  ダボピン
２２  ルーズホール
２３ａ、２３ｂ、２３ｃ、２３ｄ・・・  切欠部
２４  石張り目地
２５  シーリング
２６  取付け孔
２７  断熱プレート
２８  一次側アングルファスナー
２９  二次側プレートファスナー
３０  取付け孔
３１  Ｔ字形状リング
３２  脱落防止プレート
３３  ナット
３４  角根ボルト
３５  ナット
【図１】
2020037840.tif 000003
【図２】
2020037840.tif 000004
【図３】
2020037840.tif 000005
【図４】
2020037840.tif 000006
【図５】
2020037840.tif 000007
【図６】
2020037840.tif 000008
【図７】
2020037840.tif 000009
【図８】
2020037840.tif 000010
【図９】
2020037840.tif 000011
【図１０】
2020037840.tif 000012
【図１１】
2020037840.tif 000013
【図１２】
2020037840.tif 000014
【図１３】
2020037840.tif 000015